(57)【要約】【課題】パチンコ機に設けられた前枠開放スイッチの取付位置が異なる場合でも、前枠開放スイッチを動作可能な状態にすることができる外枠を実現する。【解決手段】右側板２１には前枠開放スイッチ６０（図６）のロッド６１の先端が当接する当接金具５０が取付けられている。当接金具５０は、ベース５１と、このベース２１の前端から左方へ突出した当接部５２とを備える。右側板２１の板面２１ａにはスリット２１ｅが上下方向に形成されている。ベース２１のボルト挿通孔５４には、それそれボルト５３が挿通されており、各ボルト５３はスリット２１ｅを通って内側の板面２１ｑから突出し、その突出した各ボルト５３にはナット（図示省略）が締結されている。【選択図】図２
2013042895.tif 000002
【特許請求の範囲】
【請求項１】
パチンコ機の開閉を検出する検出スイッチが設けられたパチンコ機を、その一方の側端を回動軸にして軸支する外枠であって、
前記検出スイッチが当接することにより前記検出スイッチをスイッチング動作させる当接部材が、取付位置を調節可能に取付けられていることを特徴とする外枠。
【請求項２】
前記当接部材が取付位置を上下方向に調節可能に側板の前端の上下にそれぞれ取付けられていることを特徴とする請求項１に記載の外枠。
【発明の詳細な説明】
【技術分野】
【０００１】
この発明は、パチンコ機をパチンコホールの所定個所に設置するための外枠に関する。
【背景技術】
【０００２】
図７は、従来のパチンコ機１を斜め前方から見た斜視図であり、図８は、図７に示すパチンコ機１を斜め後方から見た斜視図である。
従来のパチンコ機１は、パチンコ機１をパチンコホールの島設備に取付けるための外枠８を備える。外枠８は、枠状に構成されており、上部に配置された天板８ａと、底部に配置された底板８ｂと、天板８ａおよび底板８ｂの各右端間を連結する右側板８ｃと、天板８ａおよび底板８ｂの各左端間を連結する左側板８ｄと、右側板８ｃおよび左側板８ｄの各前面下端間を連結する幕板８ｅとを備える。天板８ａ、底板８ｂ、右側板８ｃ、左側板８ｄおよび幕板８ｅは、それぞれ木製で板状に形成されている。
【０００３】
外枠８の左上角であって天板８ａの左端と左側板８ｄの上端との連結部には、金属製の蝶番１５が取付けられている。蝶番１５の前端寄りの部分には、前枠セット２がヒンジ軸１６を介して回動可能に軸支されている。前枠セット２には遊技盤５が設けられており、遊技盤５は、前枠セット２の開口部に設けられたガラス３によって覆われている。遊技盤５には、図示しない入賞口、始動口、普通電動役物および変動入賞装置などが設けられており、盤面には遊技球の流下経路を変化させる多数の遊技釘が打ち込まれている。
【０００４】
前枠セット２の右下には、遊技球を遊技盤５へ発射する発射装置を操作するための発射ハンドル４が設けられており、発射ハンドル４には、発射装置の発射強度を調節するための発射レバー４ａが回動可能に設けられている。ガラス３の下方の前枠セット２には、排出口６ｂから排出される賞球および貸球を貯留する上受け皿６が設けられている。上受け皿６には、上受け皿６に貯留されている遊技球を下受け皿７へ排出させるために操作する球抜きレバー６ａと、貸球の払出しを行わせるために操作する貸出ボタン６ｃと、パチンコ機１に併設されたプリペイド記録媒体読取装置（図示せず）に挿入されているプリペイド記録媒体を返却させるために操作する返却ボタン６ｄと、プリペイド記録媒体に記録されている残り度数（残高）を表示する度数表示部６ｅとが設けられている。
【０００５】
上受け皿６の下方には、上受け皿６から流下した遊技球を貯留する下受け皿７が設けられている。下受け皿７の底部には遊技球を排出するための球抜き孔７ｂが開閉可能に形成されており、下受け皿７の前端には、球抜き孔７ｂを開閉させる球抜きレバー７ａがスライド可能に設けられている。また、前枠セット２には、払出すべき遊技球が無いことを報知する球切れＬＥＤ１３と、遊技球の払出しの異常を報知する払出異常ＬＥＤ１４と、効果音を発生する右スピーカ１０と、左スピーカ１１と、下スピーカ１２とが設けられている。
【０００６】
図８に示すように、パチンコ機１の裏面には裏セット４０が設けられている。裏セット４０の上部には、パチンコ機１が設置された島設備から供給される遊技球を貯留するための球タンク４１が設けられている。球タンク４１の下方にはカバー４２が設けられており、そのカバー４２の内部には、主制御基板が収容された主制御基板ケース（図示せず）などが設けられている。主制御基板には、入賞の検出、大当りかハズレかの判定などを行うマイクロコンピュータが搭載されている。
【０００７】
カバー４２の右方には、賞球を払出す賞球払出装置４５が設けられている。カバー４２の下方には、発射装置を制御する発射制御基板が収容された発射制御基板ケース（図示せず）４３と、賞球払出装置４５を制御する払出制御基板が収容された払出制御基板ケース４４とが設けられている。また、裏セット４０には、パチンコ機１にＡＣ２４Ｖを供給するための電源プラグ４６が接続されている。前枠セット２および裏セット４０は、外枠８に支持されている。
【０００８】
また、従来のパチンコ機では、前枠セットを開放して不正行為が行われないようにするため、前枠セットが開放されたことを検出する前枠開放スイッチが設けられている。図９は、前枠セット２の開閉を検出するための構造の一例を示す部分説明図である。天板８ａの内部には、前枠セット２の開閉を検出するための前枠開放スイッチ８０が埋設されている。前枠開放スイッチ８０には、ロッド８１が進退可能に設けられている。ロッド８１は、前枠セット２が閉成されている状態のときに天板８ａの前端から退避しており、前枠セット２が矢印Ｆ２で示す方向へ開放されると天板８ａの前端から突出し、前枠開放スイッチ８０がＯＮまたはＯＦＦする。
【先行技術文献】
【特許文献】
【０００９】
【特許文献１】特開２００２−１１２２４号公報（第１２段落、図１，図３）
【発明の概要】
【発明が解決しようとする課題】
【００１０】
しかし、前枠開放スイッチ８０が天板８ａに埋設された外枠は、外枠を木材として処分する際に前枠開放スイッチ８０を天板８ａから取り出さなければならないため、手間が掛かるという問題がある。
【００１１】
そこで、本願発明者は、図６に示すように、前枠開放スイッチ６０を前枠セット２に設けた構造を考えた。天板８ａの右端と右側板８ｃの上端とは、連結金具７０によって補強されており、その連結金具７０には、、前枠開放スイッチ６０のロッド６１の先端が当接する当接部材７１が一体形成されている。そして、前枠セット２を矢印Ｆ１で示す方向へ開閉することにより、ロッド６１が進退して前枠開放スイッチ６０がＯＮまたはＯＦＦし、前枠セット２の開閉が検出される。
【００１２】
しかし、図８に示したように、前枠セット２の裏面には、球タンク４１やカバー４２などの裏セット４０が配置されており、その裏セット４０の配置位置や形状などを製造メーカー間で統一することが困難であるため、前枠開放スイッチ６０の取付位置が製造メーカーによって異なることが分かった。
したがって、図６に示した外枠の構造では、当接部材７１の取付位置が固定されているため、前枠開放スイッチ６０の取付位置の変化に対応することができないことが分かった。
【００１３】
そこで、この出願に係る発明は、パチンコ機に設けられた前枠開放スイッチの取付位置が異なる場合でも、前枠開放スイッチを動作可能な状態にすることができる外枠を実現することを目的とする。
【課題を解決するための手段】
【００１４】
上記の目的を達成するため、この出願の請求項１に係る発明では、パチンコ機（１）の開閉を検出する検出スイッチ（６０）が設けられたパチンコ機を、その一方の側端を回動軸にして軸支する外枠（２０）であって、前記検出スイッチが当接することにより前記検出スイッチをスイッチング動作させる当接部材（５０）が、取付位置を調節可能に取付けられているという技術的手段を用いる。
【００１５】
請求項２に記載の発明では、請求項１に記載の外枠（２０）において、前記当接部材（５０）が取付位置を上下方向に調節可能に側板（２１）の前端の上下にそれぞれ取付けられているという技術的手段を用いる。
【００１６】
なお、上記各括弧内の符号は、後述する実施形態に記載の具体的手段との対応関係を示すものである。
【発明の効果】
【００１７】
（請求項１に係る発明の効果）
請求項１に係る発明の外枠を実施すれば、パチンコ機の開閉を検出する検出スイッチが当接することにより検出スイッチをスイッチング動作させる当接部材が、取付位置を調節可能に取付けられているため、検出スイッチの取付位置に応じて当接部材の取付位置を調節することができる。
したがって、パチンコ機の製造メーカーが異なるために検出スイッチの取付位置が異なる場合でも、検出スイッチを動作可能な状態にすることができる。
【００１８】
（請求項２に係る発明の効果）
請求項２に係る発明の外枠を実施すれば、当接部材が取付位置を上下方向に調節可能に側板の前端の上下にそれぞれ取付けられているため、検出スイッチが、パチンコ機の裏面のうち、外枠の前端の上下に対応する位置にそれぞれ取付けられたパチンコ機であっても、各検出スイッチを動作可能な状態にすることができる。
【図面の簡単な説明】
【００１９】
【図１】この発明の実施形態に係る外枠２０の正面図である。
【図２】図１に示す外枠２０を構成する右側板２１の上部を拡大して示す斜視図である。
【図３】図２に示す右側板２１に取付けられた当接部材５０を拡大して示す斜視図である。
【図４】図２に示す右側板２１に遊技盤５の右端が当接した状態を示す斜視図である。
【図５】右側板２１の下部を拡大して示す斜視図である。
【図６】本願発明者が本願発明よりも前に考えた外枠の右上角部と、前枠セットの裏面の右上角部とを示す斜視図である。
【図７】従来のパチンコ機１を斜め前方から見た斜視図である。
【図８】図７に示すパチンコ機１を斜め後方から見た斜視図である。
【図９】従来のパチンコ機に設けられた前枠開放スイッチの説明図である。
【図１０】図８に示すパチンコ機１の右側板８ｃと遊技盤５との配置関係を示す斜視図である。
【発明を実施するための形態】
【００２０】
［第１実施形態］
この発明の実施形態に係る外枠について図を参照して説明する。図１は、この実施形態に係る外枠２０の正面図である。図２は図１に示す外枠２０を構成する右側板２１の上部を拡大して示す斜視図である。図３は図２に示す右側板２１に取付けられた当接部材５０を拡大して示す斜視図である。図４は図２に示す右側板２１に遊技盤５の右端が当接した状態を示す斜視図である。なお、この実施形態に係る外枠に取付けるパチンコ機は、前述した従来のパチンコ機１と同じであるため、同じ符号を用いる。
【００２１】
図１に示すように、この実施形態に係る外枠２０は枠状に構成されており、上部に配置された天板２３と、底部に配置された底板２４と、天板２３および底板２４の各右端間を連結する右側板２１と、天板２３および底板２４の各左端間を連結する左側板２２と、右側板２１および左側板２２の各前面の下端間を連結する幕板２５および補強部材２８とを備える。この実施形態では、天板２３、底板２４および幕板２５は、それぞれ木製で板状に形成されており、右側板２１および左側板２２および補強部材２８は、それぞれアルミニウムにより形成されている。
【００２２】
天板２３の右端と右側板２１の上端とは、Ｌ字型の連結金具３１によって連結されている。天板２３の左端と左側板２２の上端とは、金属製の上蝶番２９によって連結されている。上蝶番２９は、蝶番と連結金具とを兼用している。底板２４および幕板２５の各左端と左側板２２の下端とは、Ｌ字型の連結金具３０によって連結されている。幕板２５の左端の上面には、金属製の下蝶番３４が固定されている。
【００２３】
底板２４および幕板２５の各右端と右側板２１の下端とは、Ｌ字型の連結金具３２によって連結されている。パチンコ機１の左上角および左下角は、ヒンジ（図示省略）を介して上蝶番２９および下蝶番３４に回動可能に軸支される。右側板２１の上下には、パチンコ機１の裏面に設けられた係止爪（図示省略）を係止するための鍵受け金具２６，２７が取付けられている。
【００２４】
図２に示すように、右側板２１には当接金具５０が取付けられている。当接金具５０は、前枠開放スイッチ６０（図６）のロッド６１の先端が当接することにより、ロッド６１を押し込んで前枠開放スイッチ６０をスイッチングさせるための金具である。当接金具５０は、右側板２１の外側の板面２１ａのうち、前方の上端に取付けられている。当接金具５０は、ベース５１と、このベース２１の前端から左方へ突出した当接部５２とを備える。当接部５２は、ベース２１の前端から、右側板２１の前端を横切って左方へ延びている。右側板２１の板面２１ａにはスリット２１ｅが上下方向に形成されている。
【００２５】
図３に示すように、ベース２１には、ボルト挿通孔５４が２箇所貫通形成されている。当接金具５０のベース２１のボルト挿通孔５４には、それそれボルト５３が挿通されており、各ボルト５３はスリット２１ｅを通って内側の板面２１ｑから突出し、その突出した各ボルト５３にはナット（図示省略）が締結されている。当接金具５０は、締結されたナットを緩ませることにより、スリット２１ｅに沿って上下に移動することができる。
【００２６】
つまり、当接金具５０は、ボルト５３およびナットによって右側板２１に上下方向に移動可能に取付けられている。
したがって、外枠２０に軸支するパチンコ機１の製造メーカーが変更になり、パチンコ機１の裏面に取付けられた前枠開放スイッチ６０の取付け位置が変わった場合であっても、その前枠開放スイッチ６０の取付位置に応じて当接金具５０の取付位置を調節することができるので、前枠開放スイッチ６０を動作可能な状態にすることができる。
。特に、当接金具５０は、スリット２１ｅを介して移動することができるため、取付位置を無段階で微調整することができる。
【００２７】
右側板２１の外側の板面２１ａであってその後部には、溝２１ｈが上下方向に形成されている。この溝２１ｈにより、外側の後端に凸状のリブ２１ｃが上下方向に形成されている。リブ２１ｃは、溝２１ｈの上端２１ｉから下端に亘って形成されている。内側の板面２１ｑであってその後端には、板状のリブ２１ｍが上下方向に形成されており、そのリブ２１ｍから前方に間隔を置いて板状のリブ２１ｋが上下方向に形成されている。リブ２１ｍ，２１ｋは、それぞれ内側の上端２１ｄから下端に亘って形成されている。また、リブ２１ｍ，２１ｋは平行に配置されており、それらの先端間は、板状部２１ｎによって連結されている。リブ２１ｍ，２１ｋおよび板状部２１ｎによって囲まれた部分には、空間２１ｐが形成されている。
【００２８】
上述したように、右側板２１の外側には、リブ２１ｃが上下方向に形成されており、かつ、内側には、リブ２１ｋ，２１ｍが上下方向に形成されているため、外枠２０の剛性を高めることができる。しかも、リブ２１ｍ，２１ｋの先端間が板状部２１ｎによって連結されているため、リブ２１ｍ，２１ｋの撓みが抑制されるので、外枠２０の剛性をより一層高めることができる。しかも、右側板２１はアルミニウムにより形成されているため、リサイクルすることができる。
【００２９】
また、内側の板面２１ｑには、リブ２１ｋから前方に間隔を置いて突出部２１ｊが形成されている。突出部２１ｊは、板状に形成されており、内側の板面２１ｑの上端から下端に亘って突出している。図４に示すように、突出部２１ｊの前面２１ｊ１は、パチンコ機１の遊技盤５の右側端５ａの後面５ｄと当接する位置に形成されている。
したがって、図１０に示すように、右側板２１と遊技盤５の右端との間に隙間Ｓが生じることがないため、その隙間Ｓから遊技盤５の盤面へワイヤーを挿入して強制的に賞球を払出させる不正行為が起きるおそれがない。
なお、左側板２２の外側の板面はスリットが形成されていない以外は、右側板２１の外側の板面２１ａと同じ形状に形成されており、左側板２２の内側の板面はスリットが形成されていない以外は、右側板２１の内側の板面２１ｑと同じ形状に形成されている。
【００３０】
つまり、上述した外枠２０は、板面に上下方向に形成された複数のリブと、内側の板面において上端から下端に亘って突出した突出部とを有し、金属または合成樹脂により形成された側板を両側に備える。また、突出部の前面が、遊技盤の側端の後面と重なるように配置されている。
【００３１】
［変更例］
図５に示すように、右側板２１の外側の板面２１ａのうち、前方の下端にも当接金具５０を上下に移動可能に取付けることもできる。つまり、当接金具５０を右側板２１の外側の板面２１ａの上下にそれぞれ取付け、かつ、取付位置を上下に調節可能に取付けることもできる。
上述した変更例に係る外枠２０を使用すれば、前枠開放スイッチ６０が、パチンコ機１の裏面のうち、外枠２０の前端の上下に対応する位置にそれぞれ取付けられたパチンコ機であっても、各前枠開放スイッチ６０を動作可能な状態にすることができる。
【００３２】
〈他の実施形態〉
（１）外枠２０の構造として、右側板２１の板面に複数のボルト挿通孔を上下方向に貫通形成した構造を用いることもできる。この外枠２０を使用すれば、ボルトを挿通するボルト挿通孔を選択することにより、当接金具５０の取付位置を調節することができるため、前枠開放スイッチ６０の取付位置の変化に対応することができる。
【００３３】
（２）前枠開放スイッチ６０の取付位置がパチンコ機１の製造メーカーによって横方向に異なる場合は、当接金具５０を天板２３または幕板２５に横方向に調節可能に取付けることにより、前枠開放スイッチ６０を動作可能な状態にすることができる。
【符号の説明】
【００３４】
１・・パチンコ機、２・・前枠セット、５・・遊技盤、２０・・外枠、
２１・・右側板（側板）、２１ｅ・・スリット、５０・・当接金具（当接部材）、
５１・・ベース、５２・・当接部、５３・・ボルト、
６０・・前枠開放スイッチ（検出スイッチ）。
【図１】
2013042895.tif 000003
【図２】
2013042895.tif 000004
【図３】
2013042895.tif 000005
【図４】
2013042895.tif 000006
【図５】
2013042895.tif 000007
【図６】
2013042895.tif 000008
【図７】
2013042895.tif 000009
【図８】
2013042895.tif 000010
【図９】
2013042895.tif 000011
【図１０】
2013042895.tif 000012